(57)【特許請求の範囲】
【請求項１】
通常動作時にネットワーククロックを使用する通信システムにおける無線装置の周波数安定性を得る方法において、前記無線通信装置が構内交換器（ＰＢＸ）システムクロックより周波数の安定したクロック入力を必要とし、前記方法が：
（ａ）  前記ＰＢＸシステムクロックから、前記無線通信装置に、ＰＢＸシステムクロック入力を供給する工程と；
（ｂ）  前記無線通信装置に要求される周波数安定性を満たすかより良好な周波数安定性を有する精密発振器を前記無線通信装置に適用する工程と；
（ｃ）  ＰＢＸシステムクロックをネットワーククロックに周波数同期させる工程と；
（ｄ）  前記ＰＢＸシステムクロック入力の周波数安定性を前記精密発振器に基づいて評価し、この評価により
（１）  前記ＰＢＸシステムクロック入力の周波数安定性が前記無線通信装置に要求される周波数安定性を満たす場合に、無線クロックをＰＢＸシステムクロック入力に同期させ、
（２）  前記ＰＢＸシステムクロック入力の周波数安定性が前記無線通信装置に要求される周波数安定性を満たさない場合に、前記無線クロックと前記ＰＢＸシステムクロック入力とを周波数同期させない工程とを具えることを特徴とする方法。
【請求項２】
請求項１に記載の方法において、前記通信システムが二つのクロック源を具え、第１のクロック源は前記ネットワーククロックに対しＰＢＸシステムクロックの周波数を制御する構内交換フェイズロックループ（ＰＢＸ  ＰＬＬで）であり、第２のクロック源が、周波数を制御するための周波数安定性エバリュエータと、周波数シンクロナイザと、精密発振器とを具える無線クロックであり、
更に、周波数安定性エバリュエータを使用して、前記ＰＢＸシステムクロックと精密発振器に基づいて前記無線クロックを得る工程を具えることを特徴とする方法。
【請求項３】
請求項２に記載の方法が更に、定期的に前記安定性エバリュエータを用いて、前記周波数シンクロナイザが前記無線クロックのサイクル周期を増減することにより、前記ＰＢＸシステムクロックに対する前記無線通信装置のクロック周波数を調整する工程を具えることを特徴とする方法。
【請求項４】
請求項３に記載の方法が更に、通信データのフレームのスリップを選択的に許容する工程を具えることを特徴とする方法。
【請求項５】
請求項１に記載の方法において、無線通信装置に要求される周波数安定性が±４．６ｐｐｍより良好であるとともに、前記精密発振器を前記無線通信装置に適用する工程が、周波数安定性が±１ｐｐｍより良好な温度補償クリスタル発振器を用いる工程を具えることを特徴とする方法。
【請求項６】
通常動作において構内交換（ＰＢＸ）システムクロックを使用する通信システムの無線通信装置であって、この無線通信装置が前記ＰＢＸシステムクロックよりも安定した周波数のクロック入力を必要とし、当該無線通信装置が：
（ａ）  前記ＰＢＸシステムクロック入力を受信する手段と；
（ｂ）  前記無線通信装置に要求される周波数安定性を満たす周波数安定性を有し前記無線通信装置を駆動する無線クロックと；
（ｃ）  前記無線クロックを前記ＰＢＸシステムクロック入力に周波数同期させる手段と；
（ｄ）  精密発振器に対する前記ＰＢＸシステムクロック入力の周波数安定性を評価する手段であって、前記ＰＢＸシステムクロック入力の周波数安定性が前記無線通信装置に要求される周波数安定性を満たす場合に前記無線クロックを前記ＰＢＸシステムクロックへ周波数同期させ、前記ＰＢＸシステムクロック入力の周波数安定性が前記無線通信装置に要求される周波数安定性を満たさない場合に前記無線クロックを前記ＰＢＸシステムクロックへ周波数同期させない手段とを具えることを特徴とする無線通信装置。
【請求項７】
請求項６に記載の無線通信装置において、前記通信システムが前記ＰＢＸシステムクロックの周波数をネットワーククロックに同期させる構内交換フェイズロックループ（ＰＢＸ  ＰＬＬ）を具えると共に、前記無線クロックが周波数を制御するための精密発振器と安定性エバリュエータと周波数シンクロナイザとにより生成され、前記精密発振器に対する前記ＰＢＸシステムクロック入力の周波数安定性を評価する手段が、前記無線装置に要求される安定性を保証する手段を具えることを特徴とする無線通信装置。
【請求項８】
請求項７に記載の無線通信装置が更に、エラスティックストアと、前記ＰＢＸクロック及び前記無線クロックが位相及び周波数同期しない場合にパルス符号変調（ＰＣＭ）情報を前記ＰＢＸ側から無線側に、あるいは前記無線側からＰＢＸ側に転送し、通信データのフレームのスリップを選択的に許容する機能を有する一対のアドレスカウンタを具えることを特徴とする無線通信装置。
【請求項９】
請求項７に記載の無線通信装置において、前記無線通信装置の周波数安定性が所定の周波数安定範囲内である場合に、周波数安定性エバリュエータがＰＢＸ  ＰＬＬ又はネットワーククロックに追従し、前記無線通信装置の周波数が決定されることを特徴とする方法。
【請求項１０】
請求項９に記載の無線通信装置において、前記周波数安定性エバリュエータは、前記ＰＢＸシステムクロック入力が前記無線通信装置の周波数安定性の許容範囲外にある場合には、前記無線通信装置クロックの周波数安定性を維持し、前記ＰＢＸ  ＰＬＬ又はネットワーククロックが再び前記無線通信装置の安定性の許容範囲内に入った場合にこれらに同期させることを特徴とする方法。
【発明の詳細な説明】
本発明は無線通信システムに関し、特に、構内変換器（ＰＢＸ）のクロックから適切な周波数安定性を有する無線装置への入力が一定でない通信システムＰＢＸの無線通信装置における同期性及び周波数安定性を維持する装置及び方法に関する。
図１を参照すると、通信システムは、例えばオフィス内でローカル電話ネットワークに電話サービスを提供する構内交換器（ＰＢＸ）８を具える。ＰＢＸ８はケーブルを介して電話１２のネットワークに接続されており、最近では無線接続を介して電話１４に接続されているものである。しかし、従来のＰＢＸが無線通信にまで拡張されたことにより、ＰＢＸ８の一部を改善する必要が生じた。その改善点の一つは、無線接続を実現し、ケーブル通信に必要とされている以上に安定した周波数で動作するＰＢＸ８の無線装置（ＷＰＢＸ）１６である。即ち、ＰＢＸ８のシステムクロックからのシステムクロック入力ＣＬＫ３４の安定性は、ケーブル通信には十分であるが、無線通信には不十分である。
無線装置のクロック入力ＣＬＫ３４のソースは通常、（デジタル接続Ｔ１／Ｅ１を介して）ネットワーククロック２２と同期されたＰＢＸ８に位相ロックされているか、あるいは無線装置が独立した基準クロックで動作するＰＢＸ８に同期されている。
例えば、無線ＰＢＸ通信は、±４．６ｐｐｍ以上の周波数安定性を必要とする。しかし、無線装置のクロック入力ＣＬＫ３４は、一部の時間しかこの周波数安定性を満たしていない。他の時間には、無線装置のクロック入力ＣＬＫ３４の周波数安定性は、無線装置１６を使用できるほど十分に安定していない。図２を参照すると、一つの解決策としては、ネットワーククロック入力２２のソースを、無線装置１６に要する周波数安定性の要求を満たすようアップグレードする解決方法がある。これは全てのＰＢＸシステムの構成や設備に対して常に実用化できるわけではない。ある種の構成のものはネットワークへのデジタル接続を具えておらず、独立したシステムとして動作する。二つ目の解決策としては、無線装置クロックの要求を満たす、あるいはそれを上回るＰＢＸ  ＰＬＬ３６を設けることである。これは高価になるだけでなく、このＰＬＬは通常精度の低いネットワーククロックに追従することが要求されているため適当でない。
従って、本発明の目的は、通信システムにおいて、安定した周波数と同期性を有する無線装置を提供し、従来の問題を解決する新しいシステムと方法を提供することにある。
本発明の他の目的は、通信システムにおいて、通常動作用にはシステムクロックＣＬＫ３４を使用し、無線装置が無線装置に要求される周波数安定性を満たしあるいはそれ以上の周波数安定性を有する精密発振器２８に対して動作する、無線装置における周波数安定性を維持する新規なシステム及び方法を提供することである。
本発明の更なる目的は、通信システムにおいて、ＰＢＸ  ＰＬＬ３２がネットワーククロック入力２２への周波数同期性を維持し、精密発振器に対するシステムクロック３２の周波数安定性を周波数エバリュエータ３０で監視して、無線装置１６に要求される限界内で安定性を保証した無線装置の周波数安定性を維持する新しいシステムと方法を提供することにある。
本発明の更に別の目的は、通信システムにおいてシステムクロック３２の周波数安定性が無線クロック３４の限界内においてより長い無線装置の周波数安定性を維持する新しいシステムと方法を提供することにある。精密発振器２８と共働するエバリュエータ３０が無線装置１６に要求される周波数安定性を維持する。この間の周波数同期は、システムクロック３２にとらわれない。
本発明の更に別の目的は、通信システムにおいて、ＰＢＸ  ＰＬＬクロック３２と無線装置クロック３４との間のクロック同期の差を弾性記憶装置にバッファして、無線システムとＰＢＸの間のフレームスリップを低減させた無線装置の周波数安定性を維持する新しいシステムと方法を提供することにある。
本発明の更なる目的は、通信システムにおいて、安定性エバリュエータ３０と共働する周波数シンクロナイザ３３を無線クロック３４の周波数の調整に用いて、無線クロック３４の周波数安定性が無線装置に要求される周波数安定性を連続的に満たす期間を増加あるいは低減させるようにした無線装置の周波数安定性を維持する新しいシステムと方法を提供することにある。
本発明の更なる目的は、通信システムにおいて、周波数安定性が無線装置に要求される制限内にある時に、周波数安定性エバリュエータ３０がＰＢＸ  ＰＬＬ３２またはネットワーク２２に追従するようにした無線装置の周波数安定性を維持する新規なシステムと方法を提供することにある。周波数安定性エバリュエータは、ＰＢＸ  ＰＬＬ３２又はネットワーククロック２２が無線装置の規格外にあるときには、無線装置クロック３４の周波数安定性を前記制限内に維持すると共に、またこれらのクロックが無線装置の安定性規格内にあるときにはＰＢＸ  ＰＬＬとネットワーククロックに追従する。
本発明に係るこれらの又は多くの目的及び利点は、本発明の属する技術分野における当業者が、請求の範囲、添付図面、及び以下の望ましい実施例の詳細な説明を読むことにより容易に明らかになる。
図１は、無線ＰＢＸ構成を用いた通信システムを示すブロック図である。
図２は、本発明の無線通信装置の実施例を示す部分ブロック図である。
図２を参照すると、本発明の実施例は、ネットワーククロック入力２２の周波数よりも安定した周波数のクロック入力を必要とする無線通信装置１６（図１）を具える。ネットワーククロック入力２２は入力ポート２４で受信され、周波数シンクロナイザ３３へ供給される。ネットワーククロック入力２２は、一定の時間しか無線通信装置１６に十分な安定性のある周波数を有していない。精密発振器２８は、無線通信装置１６の基準を供給し、無線通信装置１６に要求される周波数安定性を満たす周波数安定性を有している。
ＰＢＸ  ＰＬＬ３６の周波数安定性は、以下に詳細に述べるように、精密発振器２８を参照することにより、安定性エバリュエータ３０にて評価される。この評価により、ネットワーククロック入力２２の周波数安定性が無線通信装置１６に要求される周波数安定性を満たしている間は、ＰＢＬ  ＰＬＬクロック３２への精密クロック２８の周波数安定性は維持される。ネットワーククロック入力２２の周波数安定性が無線通信装置１６に要求される周波数安定性を満たさない場合は、周波数安定性及び同期性は維持されない。
精密発振器２８は、例えば、無線通信装置１６に要求される周波数安定性を満たす温度補償クリスタル発振器（ＴＣＸＯ）のような従来のクロック装置でも良い。例えば、２．０４８ＭＨｚでの無線通信は、±４．６ｐｐｍ以上の周波数安定性と、±１ｐｐｍ以上の周波数安定性を供給する精密発振器とを必要とする。
図３を参照すると、パルス符号変調（ＰＣＭ）は、一方の側のＰＢＸクロック３２と、他方の側の無線クロック３４により、弾性記憶装置３８のインおよびアウトに直列にシフトされている。これらＰＢＸクロックと無線クロックの位相及び周波数は常に同期している必要はなく、弾性記憶装置バッファはこの位相及び周波数の揺らぎを許容している。弾性記憶装置３８は、ＰＢＸクロックと無線クロックの位相及び周波数が同期しない場合に、ＰＢＸ側から無線側へ、逆に無線側からＰＢＸ側へＰＣＭ情報を転送する機能を有し、必要に応じて制御フレームスリップを許容して音質を最大限高めるようにしている。
以上、本発明の好適な実施例を説明したが、上述した実施例は単なる例であり、本発明の範囲は、添付の請求の範囲と同等な全範囲によって定義されるべきであり、この記載により、当業者であれば当然に様々な変形例および改良例を考えることができる。
【図１】
0003865320.tif 000002
【図２】
0003865320.tif 000003
【図３】
0003865320.tif 000004